(57)【特許請求の範囲】
【請求項１】
窓枠の内部に、外障子と内障子とを備えるとともに、これら障子の室外側に網戸を設け、この網戸を固定保持するための網戸固定装置を備えた網戸付サッシにおいて、
前記網戸固定装置は、前記外障子の召合せ框側面に設けられた、係合片を備える網戸固定具本体と、前記網戸の縦框に設けられた、前記係合片が係脱可能とされる被係合部材又は被係合部とを備え、前記係合片が前記被係合部材又は被係合部に係合した状態で、前記外障子が開窓可能とされることを特徴とする網戸付サッシ。
【請求項２】
前記窓枠において、両側の縦枠又は片側の縦枠の室外側面に、前記網戸の縦框と嵌合可能な外枠側固定具を配設してある請求項１記載の網戸付サッシ。
【請求項３】
前記網戸を外障子側に寄せた状態での召合せ側縦框に、前記網戸固定具本体の係合片が係脱可能とされる被係合部材又は被係合部が設けられている請求項１、２いずれかに記載の網戸付サッシ。
【請求項４】
前記網戸を外障子側に寄せた状態で、前記外障子の戸先側縦框に対応する網戸の戸先側縦框に対して、網戸を内障子側に寄せた状態時に、前記網戸固定具本体の係合片が係脱可能とされる第２の被係合部材を設けてある請求項１〜３いずれかに記載の網戸付サッシ。
【請求項５】
前記第２の被係合部材は、戸先側縦框の見込み面より内部側に突出するブラケット状の部材である請求項４記載の網戸付サッシ。
【請求項６】
前記被係合部材は、前記召合せ側縦框に追加的に設けた部材であり、前記被係合部は前記召合せ側縦框の室内側の面に形成した切欠き孔とされる請求項１〜４いずれかに記載の網戸付サッシ。
【請求項７】
前記係合片と前記被係合部材又は被係合部との係合部分において、網戸の見付け方向の移動を規制する見付け方向規制部及び網戸の見込み方向の移動を規制する見込み方向規制部を有する請求項１〜６いずれかに記載の網戸付サッシ。
【発明の詳細な説明】
【技術分野】
【０００１】
本発明は、強風によって網戸が煽られたり、自走したり、サッシ枠から外れるのを防止した網戸付サッシに関する。
【背景技術】
【０００２】
従来より、窓枠の中に外障子と内障子とを備えた引違い障子窓（以下、サッシ）においては、多くの場合、これら障子の室外側に網戸を配置している。
【０００３】
２、３階程度の一般住宅であれば問題はないが、高層ビル又は高層マンションの上階や出隅部に設置されたサッシの場合は、強風に煽られることが多く、この際、網戸を固定するためのロック機構を備えていないと、網戸が煽られてバタついたり、自走したり、場合によっては窓枠から外れてしまう危険性があった。そこで、網戸に対して固定装置を設けたサッシが幾つか提案されている。
【０００４】
例えば、下記特許文献１では、躯体の開口部に取り付けられた四方枠の枠体に引き戸式の網戸を配置し、この網戸の縦框にロック部材を配置し、このロック部材を当該縦框の上下方向にスライドさせる操作部を前記縦框の見付け面に設け、前記網戸を閉じた状態で、前記操作部をスライド操作することにより前記ロック部材と係合もしくは離脱する係合部を前記枠体の縦枠に取り付けたサッシが提案されている。
【先行技術文献】
【特許文献】
【０００５】
【特許文献１】特開２００７−１７７４５８号公報
【発明の概要】
【発明が解決しようとする課題】
【０００６】
しかしながら、前記特許文献１の網戸固定装置の場合は、網戸の縦框に設けるロック部材及びスライド操作部を縦框の内部に仕込まなければならず、既存のサッシに対して後付けによって取付けることは実質的に不可能である。また、網戸は戸当り側の縦框は固定されているが、召合せ框側は固定されておらず、強風時に煽られてバタつく可能性があった。更には、構造が複雑であるなどの問題もあった。
【０００７】
そこで本発明の第１の課題は、構造が簡単で、新設窓はもとより既存窓に対しても簡単に取り付け可能な網戸固定装置を備えた網戸付サッシを提供することにある。
【０００８】
第２の課題は、網戸を外障子側に寄せた収納時及び／又は網戸を内障子側に寄せた使用時に、網戸の両縦框を堅固に固定することができ、強風時のバタツキ、自走、落下などを完全に防止することにある。
【課題を解決するための手段】
【０００９】
前記第１課題を解決するために請求項１に係る本発明として、窓枠の内部に、外障子と内障子とを備えるとともに、これら障子の室外側に網戸を設け、この網戸を固定保持するための網戸固定装置を備えた網戸付サッシにおいて、
前記網戸固定装置は、前記外障子の召合せ框側面に設けられた、係合片を備える網戸固定具本体と、前記網戸の縦框に設けられた、前記係合片が係脱可能とされる被係合部材又は被係合部とを備え、前記係合片が前記被係合部材又は被係合部に係合した状態で、前記外障子が開窓可能とされることを特徴とする網戸付サッシが提供される。
【００１０】
上記請求項１記載の発明では、外障子の召合せ框側面（見込み面）に、係合片を備える網戸固定具本体を設けるとともに、前記網戸の縦框に、前記係合片が係脱可能とされる被係合部材又は被係合部を設けるものである。従って、前記網戸固定具本体の係合片を前記被係合部材又は被係合部に係合させることで、網戸を固定することができる。また、構造が簡単で済むとともに、前記網戸固定具本体は外障子の召合せ框側面（外面部分）に取り付け、前記被係合部材又は被係合部を縦框に設けるだけで良いため、新設窓はもとより既存窓に対しても簡単に取り付けることが可能となる。
【００１１】
前記第２課題を解決するために請求項２に係る本発明として、前記窓枠において、両側の縦枠又は片側の縦枠の室外側面に、前記網戸の縦框と嵌合可能な外枠側固定具を配設してある請求項１記載の網戸付サッシが提供される。
【００１２】
上記請求項２記載の発明は、網戸の収納時（網戸を外障子側に寄せた状態）及び／又は網戸の使用時（網戸を内障子側に寄せた状態）において、窓枠側においても網戸の固定を図れるようにしたものであり、これにより網戸の両縦框を固定でき、バタツキ等を完全に抑えることができる。
【００１３】
請求項３に係る本発明として、前記網戸を外障子側に寄せた状態での召合せ側縦框に、前記網戸固定具本体の係合片が係脱可能とされる被係合部材又は被係合部が設けられている請求項１、２いずれかに記載の網戸付サッシが提供される。
【００１４】
上記請求項３記載の発明は、前記網戸を外障子側に寄せた状態（網戸収納状態）での召合せ側縦框に、前記網戸固定具本体の係合片が係脱可能とされる被係合部材又は被係合部を設けるようにしたものである。
【００１５】
請求項４に係る本発明として、前記網戸を外障子側に寄せた状態で、前記外障子の戸先側縦框に対応する網戸の戸先側縦框に対して、網戸を内障子側に寄せた状態時に、前記網戸固定具本体の係合片が係脱可能とされる第２の被係合部材を設けてある請求項１〜３いずれかに記載の網戸付サッシが提供される。
【００１６】
上記請求項４記載の発明は、網戸を外障子側に寄せた状態で、前記外障子の戸先側縦框に対応する網戸の戸先側縦框に対して、網戸を内障子側に寄せた状態時（網戸の使用状態時）に、前記網戸固定具本体の係合片が係脱可能とされる第２の被係合部材を設けるようにしたものである。
【００１７】
請求項５に係る本発明として、前記第２の被係合部材は、戸先側縦框の見込み面より内部側に突出するブラケット状の部材である請求項４記載の網戸付サッシが提供される。
【００１８】
上記請求項５記載の発明は、第２の被係合部材の具体的態様を示したものである。すなわち、戸先側縦框に設ける被係合部材は、係合片は戸先側縦框と離れているため、戸先側縦框の見込み面より内部側に突出するブラケット状の部材とするものである。
【００１９】
請求項６に係る本発明として、前記被係合部材は、前記召合せ側縦框に追加的に設けた部材であり、前記被係合部は前記召合せ側縦框の室内側の面に形成した切欠き孔とされる請求項１〜４いずれかに記載の網戸付サッシが提供される。
【００２０】
上記請求項６記載の発明は、前記被係合部材及び被係合部の具体的態様を示したものである。すなわち、前記係合片が係合する部材としては、前記召合せ側縦框に追加的に設けた部材、又は前記召合せ側縦框の室内側の面に形成した切欠き孔とすることが可能である。
【００２１】
請求項７に係る本発明として、前記係合片と前記被係合部材又は被係合部との係合部分において、網戸の見付け方向の移動を規制する見付け方向規制部及び網戸の見込み方向の移動を規制する見込み方向規制部を有する請求項１〜６いずれかに記載の網戸付サッシが提供される。
【００２２】
上記請求項７記載の発明は、前記係合片と前記被係合部材又は被係合部との係合部分において、網戸が面外方向（室内外方向）及び面内方向（面方向）への移動が制限されるように固定を図るようにするのが望ましい。
【発明の効果】
【００２３】
以上詳説のとおり本発明によれば、構造が簡単で、新設窓はもとより既存窓に対しても簡単に取り付け可能な網戸固定装置を備えた網戸付サッシを提供することが可能となる。
【００２４】
また、網戸を外障子側に寄せた収納時及び／又は網戸を内障子側に寄せた使用時に、網戸の両縦框を堅固に固定することができ、強風時のバタツキ、自走、落下などを完全に防止することができる。
【図面の簡単な説明】
【００２５】
【図１】本発明の第１形態例に係る網戸付サッシＳの縦断面図である。
【図２】網戸収納時における図１のII−II線矢視図（横断面図）である。
【図３】網戸使用時における図１のIII−III線矢視図（横断面図）である。
【図４】網戸固定部の要部斜視図である。
【図５】網戸固定具本体６の係合状態の斜視図である。
【図６】網戸固定具本体６の未使用状態の斜視図である。
【図７】被係合部材７の斜視図である。
【図８】外枠側固定具８，９の斜視図である。
【図９】本発明の第２形態例に係る網戸付サッシＳの網戸収納時の横断面図である。
【図１０】本発明の第２形態例に係る網戸付サッシＳの網戸使用時の横断面図である。
【図１１】第２形態例に係る網戸固定具本体２２の正面図である。
【図１２】第２被係合部材２３を示す斜視図である。
【発明を実施するための形態】
【００２６】
以下、本発明の実施の形態について図面を参照しながら詳述する。
〔第１形態例〕
図１〜図３に示されるように、網戸付引違い障子窓Ｓ（以下、網戸付サッシという）は、窓枠１の中に外障子２と内障子３とを備えるとともに、これら障子２，３の室外側に網戸４を設け、この網戸４を固定保持するための網戸固定装置５を備えたものである。
【００２７】
前記窓枠１は、アルミニウム合金製の押出し形材からなる上枠１Ａ、下枠１Ｂ及び左右縦枠１Ｃ、１Ｄとから構成されている。前記上枠１Ａには、室内側から順に、内障子３の上框３Ａが嵌め込まれる内障子用上レール１ａ、外障子２の上框２Ａが嵌め込まれる外障子用上レール１ｂ、網戸４の上框４Ａに取り付けられたレール受け１０が嵌め込まれる網戸用上レール１ｃが形成されるとともに、前記下枠１Ｂにも同様に、室内側から順に、内障子３の戸車１１が載置される内障子用下レール１ｄ、外障子２の戸車１２が載置される外障子用下レール１ｅ、網戸４の戸車１３が載置される網戸用下レール１ｆが形成され、前記内障子３，外障子２及び網戸４が水平方向に沿って移動可能に設けられている。
【００２８】
前記外障子２は、上框２Ａ、下框２Ｂ及び縦框２Ｃ、２Ｄとから構成された枠材の内部にガラスＧが嵌合支持された障子であり、前記上框２Ａの上部には上側に開口するレール溝が形成され、前記下框２Ｂの下面には複数の戸車１２，１２が設けられている。図２に示されるように、前記縦框２Ｃ、２Ｄの内、縦框２Ｃが召合せ框であり、縦框２Ｄが戸先側縦框であり、前記召合せ框２Ｃの室内側見付け面にはクレセント錠の受け金具１４が設けられている。
【００２９】
前記内障子３も、上框３Ａ、下框３Ｂ及び縦框３Ｃ、３Ｄとから構成された枠材の内部にガラスＧが嵌合支持された障子であり、前記上框３Ａの上部には上側に開口するレール溝が形成され、前記下框３Ｂの下面には複数の戸車１１，１１が設けられている。図２に示されるように、前記縦框３Ｃ、３Ｄの内、縦框３Ｄが召合せ框であり、縦框３Ｃが戸先側縦框であり、召合せ框３Ｄの見込み面にはクレセント錠１５が設けられている。
【００３０】
前記網戸４は、上框４Ａ、下框４Ｂ及び縦框４Ｃ、４Ｄとから構成された枠材の内部に網１６が張設され、前記上框４Ａの室内側面にはレール受け１０が設けられ、前記下框４Ｂの室内側面には戸車１３が設けられている。前記縦框４Ｃ、４Ｄは方形の中空形材とされ、外周面には凹部４ｃ、４ｄが形成されている。また、前記縦框４Ｃ、４Ｄの室内側面には、隙間を封止するために封止材１７、１８が設けられている。
【００３１】
前記網戸４は、図２に示されるように、外障子２側に寄せた状態が収納時とされ、図３に示されるように、内障子３側に寄せた状態が使用時とされる。なお、網戸使用時には、内障子３が開窓され、外障子２側に移動されている。
【００３２】
以上詳述した網戸付サッシ１において、前記網戸４を固定するための網戸固定装置５が設けられている。
【００３３】
前記網戸固定装置５は、詳細には図４に示されるように、前記外障子２の召合せ框２Ｃの側面（見込み面）に設けられた、係合片６Ａを備える網戸固定具本体６と、前記網戸４を外障子２側に寄せた状態での召合せ側縦框４Ｃに設けられた、前記係合片６Ａが係脱可能とされる被係合部材７とからなる。また、前記窓枠１において両側の縦枠１Ｃ、１Ｄ又は片側の縦枠１Ｃ（１Ｄ）の室外側面に、図示例では縦枠１Ｃ、１Ｄの室外側面に、網戸４の縦框４Ｃ、４Ｄに形成された凹部４ｃ、４ｄと嵌合可能な外枠側固定具９、８を配設してある。
【００３４】
前記網戸固定具本体６は、詳細には図５及び図６に示されるように、台座６Ｂと、この台座６Ｂに対して支軸２０によって揺動自在に支持された係合片６Ａとからなる。前記台座６Ｂは、立方体形状を成す部材であり、中央に前記係合片６Ａの回転部を支持する収容部６ａを有する。また、上下部にはそれぞれ台座６Ｂを召合せ框２Ｃに固定するためのビス孔６ｂ、６ｂが形成されている。前記収容部６ａに前記係合片６Ａの回転部を嵌合させ、支軸２０を設置することにより係合片６Ａが揺動可能に支持されている。前記係合片６Ａには、先端部に鍵状の係合溝６ｃが形成されている。この係合片６Ａは、図６に示される起立状態から図５に示される水平状態の９０度区間の間で揺動可能となっている。
【００３５】
前記被係合部材７は、記召合せ側縦框４Ｃの見込み面に追加的に設けられた部材であり、詳細には図７に示されるように、ベース部７Ａと、このベース部７Ａの正面に設けられた被係合突部７Ｂとからなる。前記ベース部７Ａは立方体形状の部材で上下部にそれぞれ召合せ側縦框４Ｃに固定するためのビス孔７ｃ、７ｃを有する。前記被係合突部７Ｂは、水平突片７ａとこの水平突部片７ａの上面に相対的に細幅で起立する垂直壁７ｂとからなる。
【００３６】
前記網戸固定具本体６の係合片６Ａは、該係合片６Ａの係合溝６ｃを前記垂直壁７ｂに係合させた状態では、前記係合片６Ａの内側面が前記ベース部７Ａの正面に衝突することで、網戸４の見付け方向の移動を規制する見付け方向規制部となり、係合片６Ａの係合溝６ｃが前記垂直壁７ｂに係合することで網戸４の見込み方向の移動を規制する見込み方向規制部となる。
【００３７】
一方、前記窓枠１において両側の縦枠１Ｃ、１Ｄの外面に設けられた外枠側固定具８、９は、図８に示されるように、ベース８Ａ（９Ａ）と、突片８Ｂ（９Ｂ）とからなる断面略Ｌ字状の立方体状部材であり、前記ベース８Ａに縦枠１Ｃ、１Ｄに固定するためのビス孔８ａ（９ａ）を有する。前記突片８Ｂ（９Ａ）を網戸４側に向けて固定されており、網戸縦框４Ｃ、４Ｄの凹部４ｃ、４ｄを嵌合させることで前記縦框４Ｃ、４Ｄを固定保持する。
【００３８】
図２に示されるように、網戸４を収納状態とするには、網戸４を外障子２側に移動して、網戸縦框４Ｄの凹部４ｄを前記外枠側固定具８に嵌合させるとともに、前記網戸固定具本体６の係合片６Ａを水平に倒して、前記被係合部材７に対して係合させる。この網戸収納状態では、網戸４の縦框４Ｃ、４Ｄの両方が完全に固定されるため、強風が吹いても、網戸４のバタツキ、自走、落下などを完全に防止することができる。
【００３９】
網戸４を使用状態とするには、図３に示されるように、内障子３を完全に開放し、網戸４を反対側（開ける前の内障子３側位置）に移動して、網戸縦框４Ｃの凹部４ｃを前記外枠側固定具９に嵌合させる。網戸４の使用（換気等）は、通常風の弱いときに行われるため、内部側の縦框４Ｄが固定されていなくても特に問題はない。なお、図３では内障子３を完全に開放しているが、この内障子３が閉じられている場合でも、前記網戸４が、開ける前の内障子３側に位置している限り、本明細書では「網戸使用状態」として定義される。
【００４０】
〔第２形態例〕
次に、図９〜図１１に基づき、第２形態例に係る網戸固定装置２１について詳述する。
【００４１】
前記網戸固定装置２１は、図９に示されるように、前記外障子２の召合せ框２Ｃの側面に設けられた、係合片２２Ａを備える網戸固定具本体２２と、前記網戸４を外障子２側に寄せた状態での召合せ側縦框４Ｃに設けられた、前記係合片２２Ａが係脱可能とされる被係合部４ｅとからなる。また、前記網戸４を外障子２側に寄せた状態で、前記外障子２の戸先側縦框２Ｄに対応する網戸３の戸先側の縦框４Ｄに対して、網戸４を内障子３側に寄せた状態時に、前記網戸固定具本体２２の係合片２２Ａが係脱可能とされる第２被係合部材２３を設けてある。その他の構造は、上記第１形態例と同様であるため、同符合を付して説明は省略する。
【００４２】
前記網戸固定具本体２２は、詳細には図１１に示されるように、板材からなる台座２２Ｂと、この台座２２Ｂに対して支軸２４によって揺動自在に支持された板材からなる係合片２２Ａとからなる。前記台座２２Ｂは、上下部にそれぞれ台座２２Ｂを召合せ框２Ｃに固定するためのビス孔２２ｂ、２２ｂが形成されている。前記係合片２２Ａの先端部には鍵状の係合溝２２ａが形成されている。前記第１形態例に係る網戸固定具本体６と対比すると、構造的には同様であるが、台座２２Ｂ及び係合片２２Ａが板材によって形成されている点で異なる。
【００４３】
前記被係合部４ｅは、縦框４Ｃの室内側面に直接的に形成された縦方向に長いスリット状の切欠き孔４ｅであり、図９に示されるように、前記係合片２２Ａが係合可能とされる。
【００４４】
前記第２被係合部材２３は、詳細には図１２に示されるように、取付け部２３Ａとブラケット部２３Ｂとからなるブラケット状の部材（板材）で、前記取付け部２３Ａとブラケット部２３Ｂとの境界には段差部が形成されている。前記ブラケット部２３Ｂには、凹溝状の被係合部２３ｂが形成されている。取付けは、図９に示されるように、前記取付け部２３Ａを縦框４Ｄの内部に挿入しビス止めする。前記ブラケット部２３Ｂは、縦框４Ｄの見込み面より内方側に向けて突出するように配置される。
【００４５】
図９に示されるように、網戸４を収納状態とするには、網戸４を外障子２側に移動して、網戸縦框４Ｄの凹部４ｄを前記外枠側固定具８に嵌合させるとともに、前記網戸固定具本体２２の係合片２２Ａを水平に倒して、縦框４Ｃの前記被係合部４ｅに対して係合させる。この網戸収納状態では、網戸４の縦框４Ｃ、４Ｄの両方が完全に固定されるため、強風が吹いても、網戸４のバタツキ、自走、落下などを完全に防止することができる。
【００４６】
網戸４を使用状態とするには、図１０に示されるように、内障子３を完全に開放し、網戸４を反対側（開ける前の内障子３側位置）に移動して、網戸縦框４Ｃの凹部４ｃを前記外枠側固定具９に嵌合させる。また、前記網戸固定具本体２２の係合片２２Ａを水平に倒して、縦框４Ｄの前記第２被係合部材２３に対して係合させる。この網戸使用状態では、網戸４の縦框４Ｃ、４Ｄの両方が完全に固定されるため、強風が吹いても、網戸４のバタツキ、自走、落下などを完全に防止することができる。
【符号の説明】
【００４７】
Ｓ…網戸付サッシ、１…窓枠、２…外障子、３…内障子、４…網戸、４ｅ…被係合部、５・２１…網戸固定装置、６・２２…網戸固定具本体、６Ａ・２２Ａ…係合片、７…被係合部材、８・９…外枠側固定具、２３…第２被係合部材
【図１】
0005424409.tif 000002
【図２】
0005424409.tif 000003
【図３】
0005424409.tif 000004
【図４】
0005424409.tif 000005
【図５】
0005424409.tif 000006
【図６】
0005424409.tif 000007
【図７】
0005424409.tif 000008
【図８】
0005424409.tif 000009
【図９】
0005424409.tif 000010
【図１０】
0005424409.tif 000011
【図１１】
0005424409.tif 000012
【図１２】
0005424409.tif 000013